(57)【要約】【課題】  剥離紙を控票と兼用することによって、貼付票から剥離後に直ちに廃棄されることをなくし、省資源化や環境保護につながる配送伝票を提供する。【課題の解決手段】  配送伝票１は、配送情報記入部を有する受領票兼配達票５と、配送情報記入部に記入される情報が複写記入される第１複写記入部を有する貼付票６と、前記配送情報記入部に記入される情報が複写記入される第２複写記入部を有し、剥離紙を兼ねる依頼主控票７とを、順に重ね合わせてなり、受領票兼配達票５は連接した受領票補助片３を介して間接的に、貼付票６と粘着層１０で接着するとともに切り用ミシン目４から分離可能となし、貼付票６の裏面には、依頼主控票７の第２複写記入部に対向する部分を除いて粘着層１１を設け、依頼主控票７の表面には、第２複写記入部を除いて剥離層４０を設け、一端部にマイクロミシン目９を介して売上票８を切り離し可能に連接する。【選択図】    図４
2007030220.tif 000002
【特許請求の範囲】
【請求項１】
配送情報記入部を有する受領票と、前記配送情報記入部に記入される所定情報が複写記入される第１複写記入部を有する貼付票と、前記配送情報記入部に記入される所定情報が複写記入される第２複写記入部を有する依頼主控票とを、順に重ね合わせてなる配送伝票であって、前記受領票は直接、または連接した受領票補助片を介して間接的に、前記貼付票と少なくとも一部で接着するとともに分離可能となす一方、前記貼付票の裏面には、前記依頼主控票の第２複写記入部に対向する部分を除いて粘着層を設け、前記依頼主控票の表面には、前記第２複写記入部を除いて剥離層を設けてなることを特徴とする配送伝票。
【請求項２】
配送伝票は、一端部に売上票を切り離し可能に連接してなることを特徴とする請求項１記載の配送伝票。
【発明の詳細な説明】
【技術分野】
【０００１】
本発明は、配送伝票に関し、特に、貼付票の裏面に設けた粘着層を被覆し、貼付票から剥離後には廃棄される剥離紙を、控票として用いる配送伝票に関する。
【背景技術】
【０００２】
従来から、様々な構成の配送伝票が知られているが、貼付票の裏面に設けた粘着層は剥離紙で被覆するのが一般的であり、貼付票を配送品に貼付する際に剥離された剥離紙は、他の用途がないためそのまま廃棄されている。
【特許文献１】特開２０００−２０６８８６号公報
【発明の開示】
【発明が解決しようとする課題】
【０００３】
このように、剥離後には他の用途がないため直ちに廃棄される剥離紙は、資源の無駄遣いであるとともに、ゴミを増やすことによる環境破壊にもつながるので好ましくないという問題がある。本発明は、この問題を解消することを目的とし、単なる剥離紙ではなく、貼付票から剥離後にも控票としての用途を有することによって、省資源化や環境保護につながる配送伝票を提供するものである。
【課題を解決するための手段】
【０００４】
この目的を達成するため、本発明の請求項１に係る配送伝票は、配送情報記入部を有する受領票と、前記配送情報記入部に記入される所定情報が複写記入される第１複写記入部を有する貼付票と、前記配送情報記入部に記入される所定情報が複写記入される第２複写記入部を有する依頼主控票とを、順に重ね合わせてなり、前記受領票は直接的、または連接した受領票補助片を介して間接的に、前記貼付票と少なくとも一部で接着するとともに分離可能となし、前記貼付票の裏面には、前記依頼主控票の第２複写記入部に対向する部分を除いて粘着層を設け、前記依頼主控票の表面には、前記第２複写記入部を除いて剥離層を設けてなるものである。ここにおいて、前記分離可能なる用語は、剥離可能、切り離し可能を包含するもので、受領票が貼付票との重ね合わせ状態を解除可能なことを意味するものである。
【０００５】
また、本発明の請求項２に係る配送伝票は、請求項１記載の配送伝票において、一端部に売上票を切り離し可能に連接してなるものである。
【発明の効果】
【０００６】
本発明の請求項１に係る配送伝票によれば、配送情報が複写記入される依頼主控票が剥離紙を兼ねるので、別途剥離紙を用意する必要がないとともに、依頼主控票は剥離後に直ちに廃棄されることはなく、省資源化や環境保護に貢献できるという効果を奏する。
【０００７】
本発明の請求項２に係る配送伝票によれば、上述の効果に加えて、売上票を利用した配送管理を行うことができるという効果を奏する。
【発明を実施するための最良の形態】
【０００８】
以下、本発明の好適な実施形態を添付図面に基づいて説明する。ここにおいて、図１〜図１１は第１実施形態を概略的に示すもので、図１は単片用紙に三面付けした配送伝票の表面側のプリント状態を示す平面図、図２は筆記記入後の配送伝票の表面側を示す平面図、図３は図２のＡ−Ａ線断面図、図４は図２のＢ−Ｂ線断面図、図５は分離した依頼主控票の表面側を示す平面図、図６は管理ラベルを貼付した配送伝票を包装容器に貼付した状態を示す断面図、図７は図６状態から売上票を切り離した状態を示す断面図、図８は切り離した売上票の表面側を示す平面図、図９は図７状態から受領票兼配達票を切り離した状態を示す断面図、図１０は切り離した受領票兼配達票の表面側を示す平面図、図１１は図９状態の配送伝票を示す平面図である。また、図１２〜図１４は、受領票兼配達票における粘着層の他のパターンを示す平面図である。
【０００９】
図１に示すように、配送伝票１，１ａ，１ｂは、Ａ４判大の単片用紙にマイクロミシン目２ａ，２ｂを境に三面付けされている。この三面付け状態で、依頼主によりノンインパクトプリンタ、例えばレーザープリンタを用いて、依頼主に関する情報２７ａをはじめ、伝票番号１５ａ，２３ａ、伝票番号１５ａ，２３ａをコード化したバーコード２４ａ，２４ｂ、依頼主に関する情報２７ａや伝票番号１５ａ，２３ａをコード化した二次元バーコード２５ａが、印字される。送付先情報などがあらかじめデータベース化されている場合には、これらの情報もコード化されて、二次元バーコード２５ａとして印字される。前記各配送伝票１，１ａ，１ｂは、印字される伝票番号及びその関連情報以外は同一構成であり、印字後にマイクロミシン目２ａ，２ｂで切り離して１枚ずつ使用するが、使用方法も同一なので、以下、配送伝票１のみについて詳細に説明する。
【００１０】
図２〜図４に示すように、配送伝票１は、受領票補助片３を四角形状の切り用ミシン目４を介して四周縁に連接してなる受領票兼配達票５と、貼付票６と、依頼主控票７とを順に重ねてなり、配送伝票１の長手方向一端には、売上票８をマイクロミシン目９を介して連接してなる。前記売上票８は、前記受領票補助片３、前記貼付票６、前記依頼主控票７の各マイクロミシン目９端と連接してなる重ね合わせ三紙片を粘着剤を塗布してなる粘着層１０，１１で接着してなる。なお、前記切り用ミシン目４とマイクロミシン目２ａ，２ｂ，９との相違は、ミシン目の細かさであり、図では明らかでないが、マイクロミシン目２ａ，２ｂ，９は極めて微細なミシン目からなる。また、配送伝票１の長手方向他端には、依頼主控補助片１２を設けてなり、この依頼主控補助片１２は、前記受領票補助片３と前記貼付票６とはスリット１３を介して連接し、前記依頼主控票７とは一体的に連続してなる重ね合わせ三紙片を前記粘着層１０，１１で接着してなる。
【００１１】
図１及び図２に示すように、依頼主控補助片１２の表面には、「依頼主控」という表題１４と伝票番号記入欄１５をあらかじめ印刷している。受領票兼配達票５の表面には、「配達票」という表題１６と、届け先情報記入欄１７と、配送品サイズ記入欄１８と、発店コード記入欄１９と、配達希望日時記入欄２０と、受領印捺印欄２１と、受付年月日記入欄２２と、伝票番号記入欄２３をあらかじめ印刷している。また、受領票補助片３の表面には、郵便番号記入欄２６と依頼主情報記入欄２７とをあらかじめ印刷している。さらに、売上票８の表面には、「売上票」という表題２８とラベル貼付欄２９をあらかじめ印刷している。
【００１２】
一方、貼付票６の表面には、図１１で理解できるように、受領票兼配達票５の届け先情報記入欄１７、配達希望日時記入欄２０にそれぞれ上下に対応する位置に、届け先情報複写記入欄３０、配達希望日時複写記入欄３３をそれぞれあらかじめ印刷している。また、依頼主控票７の表面には、図５で理解できるように、貼付票６の届け先情報複写記入欄３０、配達希望日時複写記入欄３３にそれぞれ上下に対応する位置に、届け先情報第２複写記入欄３４、配達希望日時第２複写記入欄３５をそれぞれあらかじめ印刷している。
【００１３】
図３および図４に示すように、粘着層１０は最上位の紙片の裏面側に、受領票兼配達票５に対応する部分を除いて設けられ、この粘着層１０が存在しない受領票兼配達票５の裏面には、ロイコ系染料を内包したマイクロカプセル層からなる発色剤層３６を設けている。また、貼付票６の表面には、前記発色剤層３６と対向する部分に固体酸からなる顕色剤層３７を設けて、ノーカーボン複写構造を構成している。さらに、粘着層１１は貼付票６の裏面側に、前記顕色剤層３７設置部分に対応する部分を除いて設けられ、この粘着層１１が存在しない顕色剤層３７設置対応部分には、ロイコ系染料を内包したマイクロカプセル層からなる発色剤層３８を設けている。また、依頼主控票７の表面には、貼付票６裏面の粘着層１１に対向する部分より若干広い範囲に、剥離剤を塗布してなる剥離層４０を設けている。この剥離層４０設置部分を除いた前記依頼主控票７の表面には、発色剤層３８と対向するように固体酸からなる顕色剤層３９を設けて、ノーカーボン複写構造を構成している。
【００１４】
上述のノーカーボン複写構造を設けることによって、貼付票６の届け先情報複写記入欄３０、配達希望日時複写記入欄３３が第１複写記入部を構成し、依頼主控票７の届け先情報第２複写記入欄３４、配達希望日時第２複写記入欄３５が第２複写記入部を構成するものである。また、粘着層１１対応部分に剥離層４０を設けた前記依頼主控票７は、前記貼付票６から剥離可能である。さらに、受領票兼配達票５は、粘着層１０に対応していないので、切り用ミシン目４を破断することで、切り離し可能である。
【００１５】
続いて、上述のように構成した配送伝票１の使用方法を説明する。配送依頼主は、図１に示す三面付け状態の配送伝票１，１ａ，１ｂに対して、レーザープリンタなどのノンインパクトプリンタを用いて、伝票番号記入欄１５には伝票番号１５ａを印字し、伝票番号記入欄２３には伝票番号２３ａを印字し、依頼主情報記入欄２７には依頼主情報２７ａを印字するとともに、バーコード２４ａ,２４ｂ及び二次元バーコード２５ａを印字する。印字後、マイクロミシン目２ａ，２ｂを破断して１枚ずつの配送伝票１，１ａ，１ｂに分離する。
【００１６】
そして、依頼主が手書きによって、図２に示すように、配送品及び届け先に関する情報を記入する。すなわち、配送伝票１の郵便番号記入欄２６に郵便番号２６ａを記入し、受領票兼配達票５における届け先情報記入欄１７に届け先情報１７ａと品名情報１７ｂを記入し、配送品サイズ記入欄１８の配送品サイズを選択記入し、配達希望日時記入欄２０に配達希望日を記入するとともに、配達希望時間帯を選択記入する。この受領票兼配達票５への記入によって、貼付票６の届け先情報複写記入欄３０、配達希望日時複写記入欄３３に同一内容が複写記入され、また、依頼主控票７の届け先情報第２複写記入欄３４と配達希望日時第２複写記入欄３５にも同一内容が複写記入される。
【００１７】
取扱店では、受付年月日記入欄２２に受付年月日情報２２ａを、発店コード記入欄１９に発店コード１９ａを、それぞれ記入する。その後、依頼主控補助片１２を摘んで裏面側に折り曲げるようにして依頼主控票７を貼付票６から剥離し（図５参照）、売上票８は残した状態で、露出した粘着層１１によって前記貼付票６を配送品容器４１に貼付する（図６参照）一方、剥離した依頼主控票７は、依頼主に渡される。次いで取扱店では、ハンディーターミナル（図示せず）に受領票兼配達票５に記入された伝票番号２３ａ、届け先及び配送品に関する各種情報１７ａ，１７ｂ，２２ａ及びその他の配送情報を入力して、伝票番号２３ａと他の情報１７ａ，１７ｂ，２２ａを紐付けする。そして、入力した情報のうち、受付日、担当者名、伝票番号、配送品サイズ、配達希望日時、運賃を印字した売上ラベル４２をハンディーターミナルから出力して、これを売上票８のラベル貼付欄２９に貼付する（図６、図８参照）。
【００１８】
この依頼主控票７を剥離し、売上票８を貼付した図６状態で、配送品容器４１は取扱店から配送センターに配送される。配送センターでは、マイクロミシン目９を破断して売上票８を切り離し（図７、図８参照）、この売上票８に表示された情報に基づいて配送経路を決定し、所定の配送トラックに仕分けする。
【００１９】
配送トラックが目的の届け先に到着すると、運転手は受領票兼配達票５に受領印の捺印を受け、受領票兼配達票５を切り用ミシン目４を破断して切り離し（図９〜図１１参照）たうえ、配送品を届け先に手渡し、前記受領票兼配達票５は持ち帰る。そして、持ち帰った受領票兼配達票５に表示された情報に基づいてデータの消し込みを行い、配送作業を終了する。
【００２０】
なお、本発明は上述の実施形態に限定されるものではなく、例えば、受領票兼配達票５は、四角形状に設けた切り用ミシン目４に換えて、下端縁に対応して直線状に設けた一本の切り用ミシン目、あるいは上下両端縁に対応して直線状に設けた二本の平行な切り用ミシン目によって区画形成し、これら切り用ミシン目を破断することにより受領票補助片３から切り離すよう構成してもよい。
【００２１】
また、受領票兼配達票５は、受領票補助片３を介して貼付票６と分離可能に接着するのではなく、直接、貼付票６と分離可能に接着してもよく、この場合には、切り用ミシン目４を設けることなく、図１及び図２に示す受領票補助片３を含めた部分、すなわち図２におけるスリット１３とマイクロミシン目９とに挟まれた部分を受領票兼配達票５となし、この部分を一体的に貼付票６に対して分離可能に接着する。
【００２２】
具体的には、図１２に示すように、発色剤層５３を設けた受領票兼配達票５１の裏面の一端縁に沿って粘着層５２を設ける一方、図示していない貼付票の表面には粘着層５２に対応する一端縁に沿って剥離層を設けて、前記受領票兼配達票５１と前記貼付票とを互いの一端縁で剥離可能に接着する。
【００２３】
また、図１３に示すように、発色剤層５６を設けた受領票兼配達票５４の裏面の三周縁に沿って粘着層５５を設ける一方、図示していない貼付票の表面には粘着層５５に対応する三周縁に沿って剥離層を設けて、前記受領票兼配達票５４と前記貼付票とを互いの三周縁で剥離可能に接着する。
【００２４】
さらに、図１４に示すように、受領票兼配達票５７の裏面の発色剤層５９設置部分を除いて粘着層５８を設ける一方、図示していない貼付票の表面には粘着層５８に対応する部分に剥離剤を塗布して、前記受領票兼配達票５７と前記貼付票とを前記発色剤層５９設置部分を除いて剥離可能に接着する。
【００２５】
また、図示していないが、受領票兼配達票と貼付票とを、一対の対向縁に沿って設けた粘着層と剥離層によって剥離可能に接着してもよい。なお、上述の各受領票兼配達票５１，５４，５７の発色剤層５３，５６，５９に対向する各貼付票の部分には、それぞれ顕色剤層を設けるものである。
【００２６】
また、複写構造は、上述した発色剤層３６，３８と顕色剤層３７，３９を対向配置した構成のほか、自己発色剤層を各複写記入部に設けた構成や、カーボン層を各複写記入部と対向する面に設けた構成を採用することも可能である。さらに、依頼主控票７の売上票８側端部にマイクロミシン目９と平行にマイクロミシン目を設けて、このマイクロミシン目を破断して貼付票６から依頼主控票７を剥離するように構成してもよい。
【００２７】
さらにまた、マイクロミシン目９を介して連接する売上票８は、重ね合わせ接着した三紙片のすべてに連接した重ね合わせ紙片で構成するのではなく、上下に重なり合ういずれか二紙片だけをマイクロミシン目９を介して連接して重ね合わせ接着して構成したり、あるいはいずれかの一紙片のみをマイクロミシン目９を介して構成してもよい。しかしながら、この売上票８は必ずしも設ける必要はない。またさらに、ノンインパクトプリンタとしては、レーザープリンタのほか、サーマルプリンタ等があるが、受領票兼配達票５をはじめとする上位のシートは、各プリンタに応じた材質のものを用いることになる。また、受領票と配達票を兼用することなく、別体として構成してもよい。
【図面の簡単な説明】
【００２８】
【図１】単片用紙に三面付けした配送伝票の表面側のプリント状態を示す平面図。
【図２】筆記記入後の配送伝票の表面側を示す平面図。
【図３】図２のＡ−Ａ線断面図。
【図４】図２のＢ−Ｂ線断面図。
【図５】分離した依頼主控票の表面側を示す平面図。
【図６】管理ラベルを貼付した配送伝票を包装容器に貼付した状態を示す断面図。
【図７】図６状態から売上票を切り離した状態を示す断面図。
【図８】切り離した売上票の表面側を示す平面図。
【図９】図７状態から受領票兼配達票を切り離した状態を示す断面図。
【図１０】切り離した受領票兼配達票の表面側を示す平面図。
【図１１】図９状態の配送伝票を示す平面図。
【図１２】受領票兼配達票における粘着層の他のパターンを示す平面図。
【図１３】受領票兼配達票における粘着層のさらに他のパターンを示す平面図。
【図１４】受領票兼配達票における粘着層のさらにまた他のパターンを示す平面図。
【符号の説明】
【００２９】
１，１ａ，１ｂ      配送伝票
２ａ，２ｂ，９      マイクロミシン目
３      受領票補助片
４      切り用ミシン目
５      受領票兼配達票
６      貼付票
７      依頼主控票
８      売上票
１０，１１      粘着層
１２      依頼主控補助片
１３      スリット
１５，２３      伝票番号記入欄
１７      届け先情報記入欄
１８      配送品サイズ記入欄
１９      発店コード記入欄
２０      配達希望日時記入欄
２１      受領印捺印欄
２２      受付年月日記入欄
２６      郵便番号記入欄
２７      依頼主記入欄
２９      ラベル貼付欄
３０      届け先情報複写記入欄
３３      配達希望日時複写記入欄
３４      届け先情報第２複写記入欄
３５      配達希望日時第２複写記入欄
３６，３８      発色剤層
３７，３９      顕色剤層
４０      剥離層
４２      売上ラベル
５１，５４，５７      受領票兼配達票
５２，５５，５８      粘着層
５３，５６，５９      発色剤層
【図１】
2007030220.tif 000003
【図２】
2007030220.tif 000004
【図３】
2007030220.tif 000005
【図４】
2007030220.tif 000006
【図５】
2007030220.tif 000007
【図６】
2007030220.tif 000008
【図７】
2007030220.tif 000009
【図８】
2007030220.tif 000010
【図９】
2007030220.tif 000011
【図１０】
2007030220.tif 000012
【図１１】
2007030220.tif 000013
【図１２】
2007030220.tif 000014
【図１３】
2007030220.tif 000015
【図１４】
2007030220.tif 000016